(57)【特許請求の範囲】
【請求項１】
ページに対して位置を特定して対応付けられた付加情報を含む文書の各ページから前記付加情報を除いた元文書の印刷態様を指定する第１の指定を受け付ける第１のステップと、
前記文書の前記付加情報が付加された付加情報付きページの印刷態様を指定する第２の指定を受け付ける第２のステップと、
前記元文書の前記第１の指定に従う印刷物と前記付加情報付きページの前記第２の指定に従う印刷物との配列を決定する第３のステップと、
前記付加情報付きページの印刷画像が前記第２の指定に基づき定まる印刷範囲に収まる倍率を演算する第４のステップと、
前記倍率に従って変倍された前記付加情報付きページの前記第２の指定に従う印刷物と前記第１の指定に従う前記元文書の印刷物とが前記第３のステップにおける前記決定に従って配列された印刷物を印刷装置に印刷させる印刷データを作成する第５のステップと、
をコンピュータに実行させるための文書処理プログラムであって、
前記第２の指定が印刷用紙の一面にＮ（Ｎは２以上）面のページを印刷する指定である場合、前記第５のステップは、ページが連続する付加情報付きページの数が１枚の印刷用紙に印刷されるページ数よりも少ないとき、１ページに付加された前記付加情報の数が所定の数以上の付加情報付きページを優先して単独で印刷用紙の一面に印刷するように前記印刷データを作成するステップである文書処理プログラム。
【請求項２】
前記第３のステップにより決定する配列は、前記付加情報付きページの前記第２の指定に従う印刷物を前記元文書の対応するページを含む前記第１の指定に従う印刷物の直前又は直後に配置するものである請求項１に記載の文書処理プログラム。
【請求項３】
前記第３のステップにより決定する配列は、前記文書に前記付加情報付きページが複数存在するとき、複数の前記付加情報付きページの間が所定のページ数以上離れている場合は、前記複数の付加情報付きページの前記第２の指定に従う印刷物を前記元文書の対応するページを含む前記第１の指定に従う印刷物の直前又は直後に配置する代わりに、前記元文書の前記第１の指定に従う印刷物の先頭又は最後尾に配置するものである請求項２に記載の文書処理プログラム。
【請求項４】
前記第２の指定は、前記付加情報付きページを前記元文書が印刷される印刷用紙とは異なる外観の印刷用紙に印刷する指定を含む請求項１又は２に記載の文書処理プログラム。
【請求項５】
ページに対して位置を特定して対応付けられた付加情報を含む文書の各ページから前記付加情報を除いた元文書の印刷態様を指定する第１の指定を受け付ける第１の受付手段と、
前記文書の前記付加情報が付加された付加情報付きページの印刷態様を指定する第２の指定を受け付ける第２の受付手段と、
前記元文書の前記第１の指定に従う印刷物と前記付加情報付きページの前記第２の指定に従う印刷物との配列を決定する決定手段と、
前記付加情報付きページの印刷画像が前記第２の指定に基づき定まる印刷範囲に収まる倍率を演算する演算手段と、
前記倍率に従って変倍された前記付加情報付きページの前記第２の指定に従う印刷物と前記第１の指定に従う前記元文書の印刷物とが前記決定手段による前記決定に従って配列された印刷物を印刷装置に印刷させる印刷データを作成する作成手段とを備え、
前記第２の指定が印刷用紙の一面にＮ（Ｎは２以上）面のページを印刷する指定である場合、前記作成手段は、ページが連続する付加情報付きページの数が１枚の印刷用紙に印刷されるページ数よりも少ないとき、１ページに付加された前記付加情報の数が所定の数以上の付加情報付きページを優先して単独で印刷用紙の一面に印刷するように前記印刷データを作成する文書処理装置。
【発明の詳細な説明】
【技術分野】
【０００１】
本発明は、文書処理プログラム及び文書処理装置に関する。
【背景技術】
【０００２】
近年、紙の文書に付箋紙を貼り付けるのと同様に、電子計算機で取り扱う文書に付加情報を付加する技術が実用化されている（例えば、特許文献１参照）。
【０００３】
この技術を用いた従来の電子付箋処理装置は、電子文書に電子付箋をページからはみ出して貼り付けるものであり、電子付箋が貼り付けられたページに縮小処理を施した後、用紙に印刷し、電子付箋が貼り付けられていないページは、そのまま用紙に印刷する。これにより、電子付箋に欠けを生じることなく印刷することができる。電子付箋を貼り付ける前の元ページを印刷するには、別途印刷設定を行い、印刷設定に基づく印刷を行うことになる。
【０００４】
【特許文献１】特開平８−２９２７５５号公報
【発明の開示】
【発明が解決しようとする課題】
【０００５】
本発明の目的は、ページに対して位置を特定して対応付けられた付加情報を含む文書の各ページから付加情報を除いた元文書と、付加情報付きページとを配列させて一度に印刷する印刷データを作成できる文書処理プログラム及び文書処理装置を提供することにある。
【課題を解決するための手段】
【０００６】
本発明の一態様は、上記目的を達成するため、以下の文書処理プログラム及び文書処理装置を提供する。
【０００７】
［１］ページに対して位置を特定して対応付けられた付加情報を含む文書の各ページから前記付加情報を除いた元文書の印刷態様を指定する第１の指定を受け付ける第１のステップと、前記文書の前記付加情報が付加された付加情報付きページの印刷態様を指定する第２の指定を受け付ける第２のステップと、前記元文書の前記第１の指定に従う印刷物と前記付加情報付きページの前記第２の指定に従う印刷物との配列を決定する第３のステップと、前記付加情報付きページの印刷画像が前記第２の指定に基づき定まる印刷範囲に収まる倍率を演算する第４のステップと、前記倍率に従って変倍された前記付加情報付きページの前記第２の指定に従う印刷物と前記第１の指定に従う前記元文書の印刷物とが前記第３のステップにおける前記決定に従って配列された印刷物を印刷装置に印刷させる印刷データを作成する第５のステップと、をコンピュータに実行させるための文書処理プログラムであって、前記第２の指定が印刷用紙の一面にＮ（Ｎは２以上）面のページを印刷する指定である場合、前記第５のステップは、ページが連続する付加情報付きページの数が１枚の印刷用紙に印刷されるページ数よりも少ないとき、１ページに付加された前記付加情報の数が所定の数以上の付加情報付きページを優先して単独で印刷用紙の一面に印刷するように前記印刷データを作成するステップである文書処理プログラム。
【０００８】
［２］前記第３のステップにより決定する配列は、前記付加情報付きページの前記第２の指定に従う印刷物を前記元文書の対応するページを含む前記第１の指定に従う印刷物の直前又は直後に配置するものである前記［１］に記載の文書処理プログラム。
【０００９】
［３］前記第３のステップにより決定する配列は、前記文書に前記付加情報付きページが複数存在するとき、複数の前記付加情報付きページの間が所定のページ数以上離れている場合は、前記複数の付加情報付きページの前記第２の指定に従う印刷物を前記元文書の対応するページを含む前記第１の指定に従う印刷物の直前又は直後に配置する代わりに、前記元文書の前記第１の指定に従う印刷物の先頭又は最後尾に配置するものである前記［２］に記載の文書処理プログラム。
【００１１】
［４］前記第２の指定は、前記付加情報付きページを前記元文書が印刷される印刷用紙とは異なる外観の印刷用紙に印刷する指定を含む前記［１］又は［２］に記載の文書処理プログラム。
【００１２】
［５］ページに対して位置を特定して対応付けられた付加情報を含む文書の各ページから前記付加情報を除いた元文書の印刷態様を指定する第１の指定を受け付ける第１の受付手段と、前記文書の前記付加情報が付加された付加情報付きページの印刷態様を指定する第２の指定を受け付ける第２の受付手段と、前記元文書の前記第１の指定に従う印刷物と前記付加情報付きページの前記第２の指定に従う印刷物との配列を決定する決定手段と、前記付加情報付きページの印刷画像が前記第２の指定に基づき定まる印刷範囲に収まる倍率を演算する演算手段と、前記倍率に従って変倍された前記付加情報付きページの前記第２の指定に従う印刷物と前記第１の指定に従う前記元文書の印刷物とが前記決定手段による前記決定に従って配列された印刷物を印刷装置に印刷させる印刷データを作成する作成手段とを備え、前記第２の指定が印刷用紙の一面にＮ（Ｎは２以上）面のページを印刷する指定である場合、前記作成手段は、ページが連続する付加情報付きページの数が１枚の印刷用紙に印刷されるページ数よりも少ないとき、１ページに付加された前記付加情報の数が所定の数以上の付加情報付きページを優先して単独で印刷用紙の一面に印刷するように前記印刷データを作成する文書処理装置。 
【発明の効果】
【００１３】
請求項１に係る文書処理プログラム、および請求項６に係る文書処理装置によれば、ページに対して位置を特定して対応付けられた付加情報を含む文書の各ページから付加情報を除いた元文書と、付加情報付きページとを配列させて一度に印刷する印刷データを作成できる。
【００１４】
請求項２に係る文書処理プログラムによれば、本発明の構成を有していない場合と比較して、印刷した場合にページから除かれた付加情報を確認しやすい印刷物を得られる印刷データを作成できる。
【００１５】
請求項３に係る文書処理プログラムによれば、複数の付加情報付きページの間が所定のページ以上離れている場合に、本発明の構成を有していない場合と比較して、印刷した場合に付加情報付きページを見つけやすい印刷物を得られる印刷データを作成できる。
【００１６】
請求項１に係る文書処理プログラム、および請求項５に係る文書処理装置によれば、本発明を有していない構成と比較して、印刷した場合に、単独で印刷された付加情報付きページの付加情報が読みやすい印刷物を得られる印刷データを作成できる。
【００１７】
請求項４に係る文書処理プログラムによれば、印刷した場合に、印刷物から付加情報付きページを探しやすい印刷物を得られる印刷データを作成できる。
【発明を実施するための最良の形態】
【００１８】
図１は、本発明の実施の形態に係るプリンタシステムの概略の構成を示すブロック図である。
【００１９】
このプリンタシステム１は、電子付箋１３が貼り付けられたページ（以下「付箋付きページ」という。）１２Ａを含む電子文書１０Ｂを処理する電子付箋処理装置２と、電子付箋処理装置２から通信媒体３を介して出力された付箋付きページを含む印刷データを印刷するプリンタ４とを備える。ページに対して位置を特定して対応付けられた付加情報として、電子付箋を例に挙げて説明するが、これに限られない。例えば、付箋の枠を破線、一点鎖線等の実線以外で表し、枠の内側に追記情報を追記してもよい。また、付箋の枠を隠してもよい。
【００２０】
通信媒体３は、有線通信を行う電気ケーブルや光ケーブルの他、赤外線、電波等による無線通信でもよい。
【００２１】
プリンタ４は、電子写真方式、インクジェット方式、感熱転写方式等の各種のものを用いることができる。
【００２２】
電子付箋処理装置２は、ユーザインタフェース２０と、文書データ等を記憶するＲＯＭ、ＲＡＭ、ＨＤＤ等の図示しない記憶部と、図示しないＣＰＵとを有するとともに、本装置２の各部を制御する基本プログラムのＯＳ（Operating System）２１と、文書の作成、電子付箋１３の貼り付け等を実行するアプリケーション２２と、プリンタ４に対応したプリンタドライバ２３とがインストールされている。ＯＳ２１、アプリケーション２２、プリンタドライバ２３は、記憶部に記憶されたコンピュータプログラムであり、ＣＰＵで実行されることによって各々の機能を実現する。なお、同図では、アプリケーション２２及びプリンタドライバ２３が有する機能をブロックで表している。
【００２３】
ユーザインタフェース２０は、ＯＳ２１に接続されており、キーボード、マウス、電子ペン等の入力デバイスと、ディスプレイ、タッチパネル等の表示装置とを備える。入力デバイスは、電子付箋１３に関する付箋情報や印刷設定情報を入力する。
【００２４】
プリンタドライバ２３は、ＯＳ２１と連携してプリンタ４の設定や、プリンタ４で行う印刷設定等を行い、アプリケーション２２で作成された文書データをプリンタ４に適合した印刷データに変換してプリンタ４に出力する。
【００２５】
（アプリケーション）
アプリケーション２２は、文書作成部２２０と、電子付箋貼付部２２１とを有する。なお、これらの一部または全部を特定用途向け集積回路（ＡＳＩＣ：Application Specific IＣ）等のハードウェアによって実現してもよい。
【００２６】
文書作成部２２０は、文書作成プログラムを用いて複数のページ（以下、「元ページ」という。）１１からなる文書（以下「元文書」という。）１０Ａを作成する。なお、作成するページ枚数は、１ページでもよい。また、文書を作成するとともに、画像作成プログラムを用いて画像を作成してもよい。
【００２７】
電子付箋貼付部２２１は、ユーザインタフェース２０の入力デバイスから入力された付箋情報に基づいて、ページ１１に電子付箋１３を貼り付ける。そして、電子付箋貼付部２２１は、付箋情報を含む電子付箋付き文書１０Ｂを印刷指示部２３０に送る。付箋情報は、電子付箋１３を貼り付ける位置を示す位置情報と、電子付箋１３に記録する追記情報とからなる。追記情報は、キーボード、マウス等を用いて入力されたテキストデータでもよく、電子ペン等を用いて入力された画像データでもよい。
【００２８】
（プリンタドライバ）
プリンタドライバ２３は、印刷指示部（受付手段、指示手段）２３０と、付箋付きページ印刷設定解析部２３１と、付箋付きページ抽出部（抽出手段）２３２と、付箋付きページ処理部（処理手段）２３３と、合成部（合成手段）２３４とを有する。印刷指示部２３０、付箋付きページ印刷設定解析部２３１、付箋付きページ特定部２３２、付箋付きページ処理部２３３及び合成部２３４は、必要に応じて記憶部を用いてそれぞれの処理を行う。なお、これらの一部または全部をＡＳＩＣ等のハードウェアによって実現してもよい。
【００２９】
印刷指示部２３０は、元文書１０Ａに対する印刷態様としての印刷条件（第１の印刷条件）を設定し、付箋付きページ１２Ａに対する印刷態様としての印刷条件（第２の印刷条件）を設定した後、印刷指示を行う。元文書１０Ａに対する印刷設定は、後述する基本印刷設定ダイアログから行う。基本印刷設定ダイアログから片面印刷、Ｎアップ印刷、両面印刷、Ｎアップ両面印刷を指定できる。付箋付きページ１２Ａに対する印刷設定は、後述する付箋付きページ印刷設定ダイアログから行う。付箋付きページ印刷設定ダイアログから片面印刷、Ｎアップ印刷、両面印刷、Ｎアップ両面印刷を指定でき、元文書１０Ａに対する付箋付きページの挿入位置、すなわち元文書の印刷物と付箋付きページの印刷物との配列を指定できる。印刷指示部２３０は、電子付箋付き文書１０Ｂの付箋付きページ１２Ａに対する印刷設定情報を付箋付きページ特定部２３２に送る。また、印刷指示部２３０は、電子付箋付き文書１０Ｂを付箋付きページ印刷設定解析部２３１に送る。
【００３０】
ここで、「片面印刷」とは、用紙の片面（表面）にページを印刷することをいい、「Ｎアップ印刷」とは、用紙の表面にＮ（Ｎは２以上）枚のページを印刷することをいい、「まとめて１枚に印刷」や「マルチアップ」ともいい、「Ｎアップ両面印刷」とは、用紙の表面と裏面にそれぞれＮ（Ｎは２以上）枚のページを印刷することをいう。
【００３１】
付箋付きページ印刷設定解析部２３１は、付箋付きページ１２Ａに対する印刷設定情報を解析し、電子付箋１３の処理情報（例えば、印刷レイアウト）と、元文書１０Ａに対する付箋付きページ１２Ａの挿入位置を示す挿入情報とを決定し、電子付箋１３の処理情報と付箋付きページ１２Ａの挿入情報を付箋付きページ処理部２３３に送る。
【００３２】
付箋付きページ特定部２３２は、印刷指示された電子付箋付き文書１０Ｂから付箋付きページ１２Ａを特定し、付箋付きページ処理部２３３に送る。また、電子付箋付き文書１０Ｂから特定した付箋付きページ１２Ａの電子付箋１３を除いて元文書１０Ａとして合成部２３４に送る。
【００３３】
付箋付きページ処理部２３３は、付箋付きページ印刷設定解析部２３１で解析された付箋付きページ１２Ａの処理情報に従って、付箋付きページ１２Ａの処理を行う。付箋付きページ１２Ａの処理には、電子付箋１３を含むページ全体が印刷設定で指定された用紙の印刷範囲内に収まるように倍率を演算して縮小する処理と、付箋付きページ１２Ａに対して指定された両面印刷、Ｎアップ印刷の印刷設定に従った処理が含まれる。なお、元文書１０Ａに対する印刷設定は反映されない。付箋付きページ処理部２３３は、合成部２３４に縮小処理後の付箋付きページ１２Ｂと元文書１０Ａに対する付箋付きページ１２Ａの挿入情報とを合成部２３４に送る。
【００３４】
合成部２３４は、元文書１０Ａと付箋付きページ処理部２３３によって処理された付箋付きページ１２Ｂとを合成し、プリンタ４に適合した印刷データ１０Ｃに変換してプリンタ４に通信媒体３を介して送信する。
【００３５】
図２は、基本印刷設定ダイアログの一例を示す図である。同図に示す基本印刷設定ダイアログ１００には、「まとめて１枚」に印刷（Ｎアップ印刷）する際の片面に印刷するページの枚数を設定するエディットボックス１０１と、「両面印刷」を「する」を指定するラジオボタン１０２Ａと、「両面印刷」を「しない」を指定するラジオボタン１０２Ｂと、基本印刷設定ダイアログ１００を閉じる「閉じるボタン」１０３、設定内容を確定する「ＯＫ」ボタン１０４Ａ、設定内容をキャンセルする「キャンセル」ボタン１０４Ｂが設けられている。「両面印刷」を「しない」を指定するラジオボタン１０２Ｂをチェックすることにより、片面印刷を指定することができ、「まとめて１枚」のエディットボックス１０１で枚数を設定し、「両面印刷」を「する」を指定するラジオボタン１０２Ａをチェックすることにより、Ｎアップ両面印刷を設定することができる。
【００３６】
図３は、付箋付きページ印刷設定ダイアログの一例を示す図である。同図に示す付箋付きページ印刷設定ダイアログ１１０には、「付箋付きページを元文書に挿入して印刷する」を指定するチェックボックス１１１Ａが設けられており、このチェックボックス１１１Ａがチェックされた場合に、「付箋付きページをマルチアップで印刷する」、「付箋付きページを両面で印刷する」、「付箋付きページをまとめて挿入する」、及び「付箋付きページを目立たせて印刷する」をそれぞれ指定するチェックボックス１１１Ｂ〜１１１Ｅが設けられている。また、チェックボックス１１１Ｂには、アップする数を設定するエディットボックス１１２が設けられ、チェックボックス１１１Ｄには、付箋付きページをまとめて出力する出力先として、元文書１０Ａの先頭とする「ページの先頭」を指定するラジオボタン１１３Ａ、元文書１０Ａの最後尾とする「ページの最後尾」を指定するラジオボタン１１３Ｂが設けられている。また、付箋付きページ印刷設定ダイアログ１１０を閉じる「閉じるボタン」１１４、設定内容を確定する「ＯＫ」ボタン１１５Ａ、設定内容をキャンセルする「キャンセル」ボタン１１５Ｂが設けられている。
【００３７】
なお、基本印刷設定ダイアログと付箋付きページ印刷設定ダイアログとを統合した印刷設定ダイアログを用いてもよい。これにより印刷設定操作が容易になる。
【００３８】
（文書処理システムの動作）
次に、本実施の形態の動作を説明する。
【００３９】
（１）元文書及び付箋付きページを片面印刷する場合
【００４０】
図４（ａ）は、電子付箋付き文書の一例を示し、（ｂ）は、（ａ）の元文書１０Ａ及び付箋付きページ１２Ｂを片面印刷した場合の印刷結果を示す図である。図４（ａ）に示す電子付箋付き文書１０Ｂは、全７ページのうち、ページ２、ページ３、ページ６が付箋付きページ１２Ａである。
【００４１】
ユーザは、ユーザインタフェース２０の入力デバイスを操作して文書作成部２２０により複数ページ１１からなる文書１０Ａを作成する。次に、ユーザは、ユーザインタフェース２０の入力デバイスを操作して付箋情報を入力し、電子付箋貼付部２２１により文書の該当するページに電子付箋１３をページからはみ出すように貼り付け、電子付箋付き文書１０Ｂ及び付箋情報を印刷指示部２３０に送る。電子付箋１３には、例えば、当該ページ中の文章に対するコメント等が記録される。なお、電子付箋付き文書１０Ｂ及び付箋情報を図示しない記憶部に一旦記憶してもよい。また、電子付箋１３は、ページからはみ出さないように貼り付けてもよい。
【００４２】
次に、ユーザは、ユーザインタフェース２０の入力デバイスを操作して図２に示す基本印刷設定ダイアログ１００をユーザインタフェース２０の表示装置に表示させる。ユーザが、基本印刷設定ダイアログ１００において、「両面印刷」を「しない」を指定するラジオボタン１０２Ｂをチェックし、「ＯＫ」ボタン１０４Ａを選択して確定する。
【００４３】
続いて、ユーザは、ユーザインタフェース２０の入力デバイスを操作して図３に示す付箋付きページ印刷設定ダイアログ１１０をユーザインタフェース２０の表示装置に表示させる。
【００４４】
ユーザが付箋付きページ印刷設定ダイアログ１１０において、「付箋付きページを元文書に挿入して印刷する」を指定するチェックボックス１１１Ａをチェックして「ＯＫ」ボタン１１５Ａを選択して確定すると、印刷指示部２３０は、元文書１０Ａ及び付箋付きページ１２Ａに対する印刷設定情報と、付箋情報と、電子付箋付き文書１０Ｂとを付箋付きページ特定部２３２に送る。また、印刷指示部２３０は、元文書１０Ａ及び付箋付きページ１２Ａに対する印刷設定情報と、付箋情報とを付箋付きページ印刷設定解析部２３１に送る。
【００４５】
付箋付きページ特定部２３２は、印刷設定情報に基づいて電子付箋付き文書１０Ｂから付箋付きページ１２Ａを特定し、特定した付箋付きページ１２Ａを付箋付きページ処理部２３３に送るとともに、元文書１０Ａを合成部２３４に送る。
【００４６】
付箋付きページ処理部２３３は、電子付箋１３が用紙に収まるように付箋付きページ特定部２３２によって特定された付箋付きページ１２Ａを縮小して付箋付きページ１２Ｂを作成し、作成した付箋付きページ１２Ｂを合成部２３４に送るとともに、元文書１０Ａに対する付箋付きページ１２Ｇの挿入情報を合成部２３４に送る。
【００４７】
合成部２３４は、元文書１０Ａ及び付箋付きページ１２Ｂを、挿入情報に基づいて合成し、プリンタ４に適合した印刷データ１０Ｃに変換し、通信媒体３を介してプリンタ４に送る。
【００４８】
プリンタ４は、印刷データ１０Ｃを用紙に印刷して出力する。印刷結果は、図４（ｂ）に示すように、用紙１４の表面に、ページ１、付箋付きページ２、付箋無しページ２、付箋付きページ３、付箋無しページ３、ページ４、ページ５、付箋付きページ６、付箋無しページ６、ページ７が印刷される。すなわち、ページ２、ページ３及びページ６の付箋付きページ１２Ｂがこれらに対応するページ２、ページ３及びページ６の元ページ１１の直前に印刷される。また、電子付箋１３に対応する付箋部１３’は、用紙１４に収まるように印刷される。
【００４９】
（２）元文書を両面印刷し、付箋付きページを片面印刷する場合
【００５０】
図５（ａ）は、電子付箋付き文書の一例を示し、（ｂ）は、（ａ）の元文書１０Ａを両面印刷し、付箋付きページ１２Ｂを片面印刷した場合の印刷結果を示す図である。図５（ａ）に示す電子文書は、全７ページのうち、ページ２、ページ３、ページ４が付箋付きページ１２Ａである。
【００５１】
元文書１０Ａに対して両面印刷を設定する場合は、ユーザは、図２に示す基本印刷設定ダイアログ１００において、「両面印刷」を「する」を指定するラジオボタン１０２Ａをチェックして「ＯＫ」ボタン１０４Ａを選択して確定する。
【００５２】
さらに、図３に示す付箋付きページ印刷設定ダイアログ１１０において、「付箋付きページを元文書に挿入して印刷する」を指定するチェックボックス１１１Ａをチェックして「ＯＫ」ボタン１１５Ａを選択して確定する。
【００５３】
印刷結果は、図５（ｂ）に示すように、１枚目の用紙１４の表面に、付箋付きページ２が印刷され、２枚目の用紙１４の表面に付箋無しページ１、裏面に付箋無しページ２が印刷され、３枚目の用紙１４の表面に付箋付きページ３、裏面に付箋付きページ４が印刷され、４枚目の用紙１４の表面に付箋無しページ３、裏面に付箋無しページ４が印刷され、５枚目の用紙１４の表面に付箋無しページ５、裏面に付箋無しページ６が印刷され、６枚目の用紙１４の表面に付箋無しページ７が印刷される。すなわち、ページ２、ページ３及びページ４の付箋付きページ１２Ｂがこれらに対応するページ２、ページ３及びページ４を含む両面印刷の直前に印刷される。また、電子付箋１３に対応する付箋部１３’は、用紙１４に収まるように印刷される。
【００５４】
（３）元文書を２アップ両面印刷し、付箋付きページを片面印刷する場合
【００５５】
図６（ａ）は、電子付箋付き文書の一例を示し、（ｂ）は、（ａ）の元文書１０ＡをＮアップ両面印刷し、付箋付きページ１２Ｂを片面印刷した場合の印刷結果を示す図である。図６（ａ）に示す電子付箋付き文書１０Ｂは、全７ページのうち、ページ２、ページ３、ページ４が付箋付きページ１２Ａである。
【００５６】
元文書１０Ａに対して２アップ両面印刷を設定する場合は、ユーザは、図２に示すオプション印刷設定ダイアログ１００において、「まとめて１枚」のアップ数を設定するエディットボックス１０１に２を入力し、「両面印刷」を「する」を指定するラジオボタン１０２Ａをチェックして「ＯＫ」ボタン１０４Ａを選択して確定する。
【００５７】
さらに、図３に示す付箋付きページ印刷設定ダイアログ１１０において、「付箋付きページを元文書に挿入して印刷する」を指定するチェックボックス１１１Ａをチェックして「ＯＫ」ボタン１１５Ａを選択して確定する。
【００５８】
印刷結果は、図６（ｂ）に示すように、１枚目、２枚目、３枚目の用紙１４の表面にそれぞれに付箋付きページ２、３、４を印刷し、４枚目の用紙１４の表面に付箋無しページ１とページ２を印刷し、４枚目の用紙１４の裏面に付箋無しページ３とページ４を印刷する。後はこれと同様に、５枚目の用紙１４の表面に付箋無しページ５とページ６を印刷し、５枚目の用紙１４の裏面に付箋無しページ７を印刷する。すなわち、ページ２、ページ３及びページ４の付箋付きページ１２Ｂがこれらに対応するページ２．ページ３及びページ４を含む２アップ両面印刷の直前に印刷される。また、電子付箋１３に対応する付箋部１３’は、用紙１４に収まるように印刷される。
【００５９】
（４）元文書を両面印刷し、付箋付きページを２アップ両面印刷する場合
【００６０】
図７（ａ）は、電子付箋付き文書の一例を示し、（ｂ）は、（ａ）の元文書１０Ａを両面印刷し、付箋付きページ１２Ｂを２アップ両面印刷した場合の印刷結果を示す図である。図７（ａ）に示す電子付箋付き文書１０Ｂは、全１０ページのうち、ページ２、ページ３、ページ４、ページ６が付箋付きページ１２Ａである。
【００６１】
元文書１０Ａに対して両面印刷を設定する場合は、ユーザは、図２に示す基本印刷設定ダイアログ１００において、「両面印刷」を「する」を指定するラジオボタン１０２Ａをチェックして「ＯＫ」ボタン１０４Ａを選択して確定する。
【００６２】
付箋付きページ１２Ａに対して２アップ両面印刷を設定する場合は、ユーザは、図３に示す付箋付きページ印刷設定ダイアログ１１０において、「付箋付きページをマルチアップで印刷する」を指定するチェックボックス１１１Ｂをチェックし、アップ数を設定するエディットボックス１１２に２を入力し、両面印刷を指定するチェックボックス１１１Ｃをチェックし、「ＯＫ」ボタン１１５Ａを選択して確定する。
【００６３】
印刷結果は、図７（ｂ）に示すように、１枚目の用紙１４の表面に付箋付きページ２、裏面に付箋付きページ３、ページ４が印刷され、２枚目の用紙１４の表面に付箋無しページ１、裏面に付箋無しページ２が印刷され、３枚目の用紙１４の表面に付箋無しページ３、裏面に付箋無しページ４が印刷され、４枚目の用紙１４の表面に付箋付きページ６が印刷され、５枚目の用紙１４の表面に付箋無しページ５、裏面に付箋無しページ６が印刷される。後はこれと同様に、６枚目の用紙１４の表面に付箋無しページ７、裏面に付箋無しページ８が印刷され、７枚目の用紙１４の表面に付箋無しページ９、裏面に付箋無しページ１０が印刷される。すなわち、ページ２、ページ３及びページ４の付箋付きページ１２Ｂがこれらに対応するページ２．ページ３及びページ４を含む両面印刷の直前に２アップ両面印刷される。また、ページ６の付箋付きページ１２Ｂがこれに対応するページ６を含む両面印刷の直前に２アップ両面印刷される。但し、付箋付きページ１２Ｂはページ６の１枚なので単独で２アップ両面印刷される。また、電子付箋１３に対応する付箋部１３’は、用紙１４に収まるように印刷される。
【００６４】
（５）元文書を両面印刷し、付箋付きページを２アップ両面印刷し、先頭にまとめて出力する場合
【００６５】
図８（ａ）は、電子付箋付き文書の一例を示し、（ｂ）は、（ａ）の元文書１０Ａを両面印刷し、付箋付きページ１２Ｂを２アップ両面印刷し、先頭にまとめて出力した場合の印刷結果を示す図である。図８（ａ）に示す電子付箋付き文書１０Ｂは、全１０ページのうち、ページ２、ページ３、ページ４、ページ６が付箋付きページ１２Ａである。
【００６６】
元文書１０Ａに対して両面印刷を設定する場合は、ユーザは、図２に示す基本印刷設定ダイアログ１００において、「両面印刷」を「する」を指定するラジオボタン１０２Ａをチェックして「ＯＫ」ボタン１０４Ａを選択して確定する。
【００６７】
付箋付きページ１２Ａに対して２アップ両面印刷を設定し、まとめて先頭に出力させることを設定する場合は、ユーザは、図３に示す付箋付きページ印刷設定ダイアログ１１０において、「付箋付きページをマルチアップで印刷する」を指定するチェックボックス１１１Ｂをチェックし、アップ数を設定するエディットボックス１１２に２を入力し、「付箋付きページをまとめて挿入する」のチェックボックス１１１Ｄをチェックし、「ページの先頭」のラジオボタン１１３Ａをチェックして「ＯＫ」ボタン１１５Ａを選択して確定する。
【００６８】
印刷結果は、図８（ｂ）に示すように、１枚目の用紙１４の表面に付箋付きぺージ２、付箋付きページ３を印刷し、裏面に付箋付きページ４、付箋付きページ６を印刷し、２枚目の用紙１４の表面に付箋無しページ１、裏面に付箋無しページ２、３枚目の用紙１４の表面に付箋無しページ３、裏面に付箋無しページ４、４枚目の用紙１４の表面に付箋無しページ５、裏面に付箋無しページ６を印刷し、同様に、５枚目の用紙１４の表面に付箋無しページ７、裏面に付箋無しページ８、６枚目の用紙１４の表面に付箋無しページ９、裏面に付箋無しページ１０を印刷する。すなわち、ページ２、ページ３、ページ４、ページ６の付箋付きページ１２Ｂが先頭に印刷される。また、電子付箋１３に対応する付箋部１３’は、用紙１４に収まるように印刷される。
【００６９】
（６）元文書を両面印刷し、付箋付きページを目立つように印刷する場合
【００７０】
図９は、付箋付きページを目立つように印刷した場合の印刷結果を示す図である。
【００７１】
元文書に対して両面印刷を設定する場合は、ユーザは、図２に示す基本印刷設定ダイアログ１００において、「両面印刷」を「する」を指定するラジオボタン１０２Ａをチェックして「ＯＫ」ボタン１０４Ａを選択して確定する。
【００７２】
付箋付きページに対して両面印刷を設定し、付箋付きページを目立たせる場合は、ユーザは、図３に示す付箋付きページ印刷設定ダイアログ１１０において、「付箋付きページを元文書に挿入して印刷する」を指定するチェックボックス１１１Ａをチェックし、「付箋付きページを目立たせて印刷する」を指定するチェックボックス１１１Ｅをチェックして「ＯＫ」ボタン１１５Ａを選択して確定する。
【００７３】
印刷結果は、図９に示すように、付箋付きページ１２Ｂによる付箋付きページ２が用紙１４Ｂより大きい用紙１４Ａに印刷され、付箋無しページ１、ページ２が用紙１４Ｂに印刷される。積層状態の付箋付きページと付箋無しページとからなる印刷物から付箋付きページの用紙がはみ出して目立つので、付箋付きページを見つけやすくなる。
【００７４】
（変形例１）
図１０は、図９の変形例１として、付箋付きページ１２Ｂを目立つように印刷した場合の印刷結果を示す図である。付箋付きページ（ページ３）１２Ｂを元文書の印刷物から発見しやすいように、用紙１４の縁に赤、黒等の色で縁取り１５を印刷する。なお、予め縁取り１５を有する用紙１４を用いてもよい。変形例１の場合は、積層状態の付箋付きページと付箋無しページとからなる印刷物から付箋付きページの縁取り１５の色が見えて目立つので、付箋付きページを見つけやすくなる。
【００７５】
（変形例２）
図１１は、図９の変形例２として、付箋付きページを目立つように印刷した場合の印刷結果を示す図である。付箋付きページ（ページ４）１２Ｂを元文書の印刷物から発見し易いように、電子付箋１３に対応する付箋部１３’に連続して用紙１４の縁に露出する縁部１６を赤、黒等の色で印刷する。なお、予め縁部１６を有する用紙１４を用いてもよい。また、縁部１６は付箋部１３’から離れていてもよい。変形例２の場合は、積層状態の付箋付きページと付箋無しページとからなる印刷物から付箋付きページの縁部１６の色が見えて目立つので、付箋付きページを見つけやすくなる。
【００７６】
（変形例３）
図１２は、図７の変形例３として、（ａ）は、電子付箋付き文書の一例を示し、（ｂ）は、（ａ）の元文書１０Ａを両面印刷し、付箋付きページ１２Ｂを２アップ両面印刷し、付箋付きページ１２Ｂの枚数が３枚以下のときは一部２アップしない場合の印刷結果を示す図である。図１２（ａ）に示す電子付箋付き文書１０Ｂは、全１０ページのうち、ページ２、ページ３、ページ４、ページ６が付箋付きページ１２Ａである。
【００７７】
元文書に対して両面印刷を設定する場合は、ユーザは、図２に示すオプション印刷設定ダイアログ１００において、「両面印刷」を「する」を指定するラジオボタン１０２Ａをチャックして「ＯＫ」ボタン１０４Ａを選択して確定する。
【００７８】
付箋付きページ１２Ａに対して２アップ両面印刷を設定する場合は、ユーザは、図３に示す付箋付きページ印刷設定ダイアログ１１０において、「付箋付きページを元文書に挿入して印刷する」を指定するチェックボックス１１１Ａをチェックし、「付箋付きページをマルチアップで印刷する」を指定するチェックボックス１１１Ｂをチェックし、アップ数を設定するエディットボックス１１２に２を入力して「ＯＫ」ボタン１１５Ａを選択して確定する。
【００７９】
印刷結果は、図１２（ｂ）に示すように、１枚目の用紙１４の表面に付箋付きぺージ２、裏面に付箋付きページ３、付箋付きページ４を印刷し、２枚目の用紙１４の表面に付箋無しページ１、裏面に付箋無しページ２、３枚目の用紙１４の表面に付箋無しページ３、裏面に付箋無しページ４、４枚目の用紙１４の表面に付箋付きページ６を印刷し、５枚目の用紙１４の表面に付箋無しページ５、裏面に付箋無しページ６を印刷する。後は、これと同様に、６枚目の用紙１４の表面に付箋無しページ７、裏面に付箋無しページ８、７枚目の用紙１４の表面に付箋無しページ９、裏面に付箋無しページ１０を印刷する。
【００８０】
すなわち、付箋付きページの枚数が１枚の用紙に印刷する数より少ない場合は、電子付箋の数が多い付箋付きページを優先してＮアップせずに用紙の表面又は裏面に印刷するように合成部２３４で合成処理される。本変形例３の場合は、連続する付箋付きページの枚数が３枚であるので、付箋部１３’の数が多い付箋つきページ２を２アップせずに表面に印刷されている。また、付箋付きページ６は、連続していないため、２アップせずに用紙１４の表面に印刷されている。
【００８１】
（変形例４）
図１３は、図４の変形例４として、（ａ）は、電子付箋付き文書の一例を示し、（ｂ）は、（ａ）の元文書１０Ａを片面印刷し、付箋付きページ１２Ｂを片面印刷し、片面印刷した付箋付きページ１２Ｂが元文書１０Ａの印刷物の先頭となるようにした場合の印刷結果を示す図である。図１３（ａ）に示す電子付箋付き文書１０Ｂは、全１００ページのうち、ページ１とページ１００が付箋付きページ１２Ａである。このように複数の付箋付きページ１２Ａの間が所定のページ（例えば、１０ページ）以上離れている場合にそれらの付箋付きページを元文書の先頭又は最後尾に印刷されるように合成部２３４で合成処理される。
【００８２】
印刷結果は、図１３（ｂ）に示すように、１枚目の用紙１４の表面に付箋付きページ１２Ｂによるページ１が印刷され、２枚目の用紙１４の表面に付箋付きページ１２Ｂによるページ１００が印刷され、後は、付箋無しページ１からページ１００までが順次用紙１４の表面に印刷される。
【００８３】
［他の実施の形態］
なお、本発明は、上記各実施の形態に限定されず、本発明の趣旨を逸脱しない範囲内で種々な変形が可能であり、本発明の趣旨を逸脱しない範囲内で各実施の形態間の構成要素を任意に組み合わせることができる。
【００８４】
また、上記実施の形態で使用されるプログラムは、ＣＤ−ＲＯＭ等の記録媒体から装置内の記憶部に読み込んでもよく、インターネット等のネットワークに接続されているサーバ等から装置内の記憶部にダウンロードしてもよい。
【図面の簡単な説明】
【００８５】
【図１】図１は、本発明の実施の形態に係るプリンタシステムの概略の構成を示すブロック図である。
【図２】図２は、基本印刷設定ダイアログの一例を示す図である。
【図３】図３は、付箋付きページ印刷設定ダイアログの一例を示す図である。
【図４】図４（ａ）は、電子付箋付き文書の一例を示し、（ｂ）は、（ａ）の電子付箋付き文書を片面印刷した場合の印刷結果を示す図である。
【図５】図５（ａ）は、電子付箋付き文書の一例を示し、（ｂ）は、（ａ）の元文書１０Ａを両面印刷し、付箋付きページ１２Ｂを片面印刷した場合の印刷結果を示す図である。
【図６】図６（ａ）は、電子付箋付き文書の一例を示し、（ｂ）は、（ａ）の元文書をＮアップ両面印刷し、付箋付きページ１２Ｂを片面印刷した場合の印刷結果を示す図である。
【図７】図７（ａ）は、電子付箋付き文書の一例を示し、（ｂ）は、（ａ）の元文書を両面印刷し、付箋付きページを２アップ両面印刷した場合の印刷結果を示す図である。
【図８】図８（ａ）は、電子付箋付き文書の一例を示し、（ｂ）は、（ａ）の元文書を両面印刷し、付箋付きページを２アップ両面印刷し、かつ、先頭にまとめて出力した場合の印刷結果を示す図である。
【図９】図９は、付箋付きページを目立つように印刷した場合の印刷結果を示す図である。
【図１０】図１０は、図９の変形例１として、付箋付きページを目立つように印刷した場合の印刷結果を示す図である。
【図１１】図１１は、図９の変形例２として、付箋付きページを目立つように印刷した場合の印刷結果を示す図である。
【図１２】図１２（ａ）は、電子付箋付き文書の一例を示し、（ｂ）は、（ａ）の元文書を両面印刷し、付箋付きページのうち電子付箋の数が多いものを片面印刷し、それ以外を２アップ両面印刷した場合の印刷結果を示す図である。
【図１３】図１３（ａ）は、電子付箋付き文書の一例を示し、（ｂ）は、（ａ）の元文書を片面印刷し、付箋付きページを片面印刷し、片面印刷した付箋付きページが元文書の印刷物の先頭となるようにした場合の印刷結果を示す図である。
【符号の説明】
【００８６】
１  プリンタシステム
２  電子付箋処理装置
３  通信媒体
４  プリンタ
１０Ａ  元文書
１０Ｃ  刷データ
１０Ｂ  電子付箋付き文書
１１  元ページ
１２Ａ，１２Ｂ  付箋付きページ
１３  電子付箋
１３’  付箋部
１４，１４Ａ，１４Ｂ  用紙
１５  縁取り
１６  縁部
２０  ユーザインタフェース
２１  ＯＳ
２２  アプリケーション
２３  プリンタドライバ
１００  基本印刷設定ダイアログ
１０１  エディットボックス
１０２Ａ，１０２Ｂ  ラジオボタン
１０３  閉じるボタン
１０４Ａ  「ＯＫ」ボタンボタン
１０４Ｂ  「キャンセル」ボタン
１１０  ページ印刷設定ダイアログ
１１１Ａ〜１１１Ｅ  チェックボックス
１１２  エディットボックス
１１３Ａ  ラジオボタン
１１３Ｂ  ラジオボタン
１１４  閉じるボタン
１１５Ａ  「ＯＫ」ボタン
１１５Ｂ  「キャンセル」ボタン
２２０  文書作成部
２２１  電子付箋貼付部
２３０  印刷指示部
２３１  付箋付きページ印刷設定解析部
２３２  付箋付きページ特定部
２３３  付箋付きページ処理部
２３４  合成部
【図１】
0005446086.tif 000002
【図２】
0005446086.tif 000003
【図３】
0005446086.tif 000004
【図４】
0005446086.tif 000005
【図５】
0005446086.tif 000006
【図６】
0005446086.tif 000007
【図７】
0005446086.tif 000008
【図８】
0005446086.tif 000009
【図９】
0005446086.tif 000010
【図１０】
0005446086.tif 000011
【図１１】
0005446086.tif 000012
【図１２】
0005446086.tif 000013
【図１３】
0005446086.tif 000014